(57)【要約】【課題】局線や局線インタフェース部に障害が発生した場合に、その障害を簡単な手順で回避し得る電話交換装置を提供する。【解決手段】主装置１に予備用ＩＳＤＮ回線インタフェース１４を内蔵させ、かつ回線交換スイッチ部１１１とは別にＩＳＤＮ局線ＳＬ１〜ＳＬｎと、ＩＳＤＮ回線インタフェース１２−１〜１２−ｊ，予備用ＩＳＤＮ回線インタフェース１４との間を接続する予備切替部１５を設け、ＩＳＤＮ回線インタフェース１２−１の異常検出時に、予備切替部１５を切替制御して、ＩＳＤＮ回線インタフェース１２−１に接続されていたＩＳＤＮ回線ＳＬ１を予備用ＩＳＤＮ回線インタフェース１４に接続し、予備用ＩＳＤＮ回線インタフェース１４に対し呼情報をセットするようにしている。【選択図】      図１
2007082028.tif 000002
【特許請求の範囲】
【請求項１】
少なくとも１つの局線を接続可能な局線インタフェース部を備えるとともに、少なくとも１つの電話端末を収容し、前記局線インタフェース部に対し前記電話端末との接続に係わる呼情報をセットし、接続要求発生時に、前記局線インタフェース部にセットした呼情報に基づいて処理させることで前記電話端末と接続処理を実行する電話交換装置において、
前記局線インタフェース部の冗長系として動作する予備用局線インタフェース部と、
前記局線と前記局線インタフェース部との間、前記局線と前記予備用局線インタフェース部との間を選択的に接続する切替スイッチと、
前記局線インタフェース部の異常を検出する異常検出手段と、
この異常検出手段により異常が検出された場合に、前記局線と前記予備用局線インタフェース部との間を接続するように前記切替スイッチを切替制御し、前記予備用局線インタフェース部に前記呼情報をセットする制御手段とを具備したことを特徴とする電話交換装置。
【請求項２】
前記異常検出手段は、前記局線インタフェース部の動作異常もしくは前記局線における障害を検出することを特徴とする請求項１記載の電話交換装置。
【請求項３】
前記異常検出手段は、前記局線インタフェース部において基板未実装障害、クロック断、回線とのリンク確立障害の少なくとも１つを検出することを特徴とする請求項１記載の電話交換装置。
【請求項４】
前記局線インタフェース部を複数個備えるとき、
前記制御手段は、前記異常検出手段により前記複数の局線インタフェース部のうちの１つの局線インタフェース部において異常が検出された場合に、前記局線インタフェース部に接続される局線を前記予備用局線インタフェース部に切り替えることを特徴とする請求項１記載の電話交換装置。
【請求項５】
前記局線インタフェース部を複数個備えるとき、
前記制御手段は、前記異常検出手段により前記複数の局線インタフェース部のうち第１及び第２の局線インタフェース部の異常が検出された場合に、前記第１の局線インタフェース部に接続される局線を前記予備用局線インタフェース部に接続するとともに、前記第２の局線インタフェース部に接続される局線を前記第１及び第２の局線インタフェース部とは異なる第３の局線インタフェース部に接続するように前記切替スイッチを制御することを特徴とする請求項１記載の電話交換装置。
【請求項６】
前記局線インタフェース部を複数個備え、これら複数の局線インタフェース部のうち第１の局線の通信信号伝送用の通信チャネルを捕捉する第１の局線インタフェース部と、前記第１の局線とは異なる第２の局線の通信チャネルを捕捉するとともに当該第２の局線の通信チャネル及び前記第１の局線の通信チャネルに関する制御を行うために必要な制御信号伝送用の制御チャネルを捕捉する第２の局線インタフェース部とを有するとき、
前記制御手段は、前記異常検出手段により前記第２の局線インタフェース部の異常が検出された場合に、前記第２の局線を前記予備用局線インタフェース部に切り替える手段と、前記予備用局線インタフェース部が運用中で塞がっている場合に、前記第１の局線インタフェース部に対し前記第１の局線に含まれ前記第１の局線の通信チャネルに関する制御を行うために必要な制御信号伝送用の制御チャネルを捕捉させる手段とを備えることを特徴とする請求項１記載の電話交換装置。
【請求項７】
さらに、前記異常検出手段による異常検出時に、異常のあった局線インタフェース部に接続される局線を前記予備用局線インタフェース部に切り替えることにより、異常の原因が前記局線によるものか、前記局線インタフェース部における動作異常によるものかを切り分ける手段を備えることを特徴とする請求項１記載の電話交換装置。
【発明の詳細な説明】
【技術分野】
【０００１】
この発明は、例えばＩＳＤＮ網（総合サービスデジタル網）といったデジタル通信網を接続可能な電話交換装置に関する。
【背景技術】
【０００２】
従来よりオフィスビルや事業所では、ボタン電話装置やＰＢＸ（Private Branch Exchange）といった電話交換装置が多く使用されている。この種の電話交換装置は、例えば電話機等を内線端末として収容し、この内線端末と公衆網等の外部通信網との間及び内線端末相互間を交換接続して通話を可能にしている。また、外部通信網としては、ＩＳＤＮ網も含まれている。
【０００３】
ところで、上記電話交換装置内のＩＳＤＮ回線インタフェースは、網側回線と１対１で固定的に接続されていた。このような場合、電話交換装置内のＩＳＤＮ回線インタフェースにおいて何らかの障害が発生した時、障害回線が非サービス状態となることからサービス可能な収容回線数が減少し、トラフィックが多い場合の回線ビジーの発生確率が高くなる。
【０００４】
そこで、従来では、電話交換装置とＩＳＤＮ網に接続される端末との間で、通信チャネル（Ｂチャネル）の情報及び制御チャネル（Ｄチャネル）の情報の多重／分離を行なう第１の手法（例えば、特許文献１）や、ＩＳＤＮ回線接続用の予備通信アダプタを備えて、現用通信アダプタと予備通信アダプタとを同一通信状態に保持する第２の手法（例えば、特許文献２）が提案されている。
【特許文献１】特開平６−２０５００３号公報
【特許文献２】特開平４−１７２８４２号公報。
【発明の開示】
【発明が解決しようとする課題】
【０００５】
ところが、上記第１の手法では、回線数を維持できず、サービス障害を起こしてしまう。また、第２の手法では、通信アダプタの異常もしくは局線異常による障害時には現用通信アダプタから予備通信アダプタへの繋ぎ替えが必要となる。
【０００６】
そこで、この発明の目的は、局線や局線インタフェース部に障害が発生した場合に、その障害を簡単な手順で回避し得る電話交換装置を提供することにある。
【課題を解決するための手段】
【０００７】
この発明は、上記目的を達成するために、以下のように構成される。  
少なくとも１つの局線を接続可能な局線インタフェース部を備えるとともに、少なくとも１つの電話端末を収容し、局線インタフェース部に対し電話端末との接続に係わる呼情報をセットし、接続要求発生時に、局線インタフェース部にセットした呼情報に基づいて処理させることで電話端末と接続処理を実行する電話交換装置において、局線インタフェース部の冗長系として動作する予備用局線インタフェース部と、局線と局線インタフェース部との間、局線と予備用局線インタフェース部との間を選択的に接続する切替スイッチと、局線インタフェース部の異常を検出する異常検出手段と、この異常検出手段により異常が検出された場合に、局線と予備用局線インタフェース部との間を接続するように切替スイッチを切替制御し、予備用局線インタフェース部に呼情報をセットする制御手段とを備えるようにしたものである。
【０００８】
この構成によれば、局線インタフェース部の冗長系として動作する予備用局線インタフェース部を内蔵するとともに、内部のタイムスイッチとは別に予備用局線インタフェース部と局線との間を接続する切替スイッチを設け、局線インタフェース部の異常検出時に、切替スイッチを切替制御して、局線と予備用局線インタフェース部とを接続し、予備用局線インタフェース部に対し呼情報をセットするようにしている。
【０００９】
従って、局線インタフェース部に異常が発生した場合に、切替スイッチを用いて局線の接続先が予備用局線インタフェース部に切り替わり、この結果簡単な手順で障害が回避され通信が継続される。
【００１０】
局線インタフェース部を複数個備えるとき、制御手段は、異常検出手段により複数の局線インタフェース部のうち第１及び第２の局線インタフェース部の異常が検出された場合に、第１の局線インタフェース部に接続される局線を予備用局線インタフェース部に接続するとともに、第２の局線インタフェース部に接続される局線を第１及び第２の局線インタフェース部とは異なる第３の局線インタフェース部に接続するように切替スイッチを制御することを特徴とする。
【００１１】
この構成によれば、複数の局線インタフェース部の異常が同一時間帯に発生した場合でも、これらの異常に対し比較的柔軟に対応することができる。
【００１２】
局線インタフェース部を複数個備え、これら複数の局線インタフェース部のうち第１の局線の通信信号伝送用の通信チャネルを捕捉する第１の局線インタフェース部と、第１の局線とは異なる第２の局線の通信チャネルを捕捉するとともに当該第２の局線の通信チャネル及び前記第１の局線の通信チャネルに関する制御を行うために必要な制御信号伝送用の制御チャネルを捕捉する第２の局線インタフェース部とを有するとき、制御手段は、異常検出手段により第２の局線インタフェース部の異常が検出された場合に、第２の局線を予備用局線インタフェース部に切り替える手段と、予備用局線インタフェース部が運用中で塞がっている場合に、第１の局線インタフェース部に対し第１の局線に含まれ第１の局線の通信チャネルに関する制御を行うために必要な制御信号伝送用の制御チャネルを捕捉させる手段とを備えることを特徴とする。
【００１３】
この構成によれば、第１の局線の通信チャネルに関する制御を行うために必要な制御信号伝送用の制御チャネルを有する第２の局線を接続した第２の局線インタフェース部に異常が検出された場合に、第２の局線を予備用局線インタフェース部に接続し、一方、予備用局線インタフェース部が運用中で塞がっている場合に、第１の局線インタフェース部に対し第１の局線に含まれ第１の局線の通信チャネルに関する制御を行うために必要な制御信号伝送用の制御チャネルを捕捉させるようにしているので、スペックダウンせずに従来サービスを継続することが可能となる。
【発明の効果】
【００１４】
以上詳述したようにこの発明によれば、局線や局線インタフェース部に障害が発生した場合に、その障害を簡単な手順で回避し得る電話交換装置を提供することができる。
【発明を実施するための最良の形態】
【００１５】
以下、この発明の実施形態について図面を参照して詳細に説明する。  
図１は、この発明の一実施形態に係わるボタン電話システムの構成を示すブロック図であり、１は主装置である。
【００１６】
ボタン電話システムは、同図に示すように、主装置１に、ＩＳＤＮ網ＮＷを任意に接続するとともに、複数の電話端末Ｔ１〜Ｔｉ（ｉは自然数）をそれぞれ内線を介して任意に接続して構成されている。なお、ＩＳＤＮ網ＮＷは、ＩＳＤＮ回線ＳＬ１〜ＳＬｎ（ｎは自然数）を介して主装置１に接続されている。
【００１７】
主装置１は、さらに、呼制御部１１、ＩＳＤＮ回線インタフェース１２−１〜１２−ｊ（ｊは自然数）、端末インタフェース１３−１〜１３−ｉ、予備用ＩＳＤＮ回線インタフェース１４及び予備切替部１５を備えている。そして、呼制御部１１、ＩＳＤＮ回線インタフェース１２−１〜１２−ｊ、端末インタフェース１３−１〜１３−ｉ及び予備用ＩＳＤＮ回線インタフェース１４は、音声バス１６及び制御バス１７を介して互いに接続されている。
【００１８】
予備切替部１５は、呼制御部１１の制御の下、ＩＳＤＮ回線ＳＬ１〜ＳＬｎとＩＳＤＮ回線インタフェース１２−１〜１２−ｊ，予備用ＩＳＤＮ回線インタフェース１４との切り替えを行なう。
【００１９】
呼制御部１１は、回線交換スイッチ部１１１と、呼処理・アラーム検出部１１２と、予備切替制御部１１３とを備えている。回線交換スイッチ部１１１は、呼処理・アラーム検出部１１２の制御の下、ＩＳＤＮ回線インタフェース１２−１〜１２−ｊと端末インタフェース１３−１〜１３−ｉとの間及び端末インタフェース１３−１〜１３−ｉ相互間を任意に交換接続し、ＩＳＤＮ回線インタフェース１２−１〜１２−ｊと端末インタフェース１３−１〜１３−ｉとの間の音声信号の送受信を行なう。
【００２０】
呼処理・アラーム検出部１１２は、ＩＳＤＮ回線インタフェース１２−１〜１２−ｊとの間、端末インタフェース１３−１〜１３−ｉとの間でインタフェース動作に係わる種々の制御信号の送受信を、制御バス１７を介して行うことで、回線交換スイッチ部１１１、ＩＳＤＮ回線インタフェース１２−１〜１２−ｊのそれぞれを総括制御し、主装置１としての動作を実現するものである。このとき、ＩＳＤＮ回線インタフェース１２−１〜１２−ｊに対し、呼処理に必要な呼情報をセットしている。
【００２１】
また、呼処理・アラーム検出部１１２は、ＩＳＤＮ回線インタフェース１２−１〜１２−ｊの異常発生を監視する。そして、異常が検出されると、この検出情報を予備切替制御部１１３に通知するとともに、予備用ＩＳＤＮ回線インタフェース１４に対し呼情報をセットする。
【００２２】
なお、異常検出手法としては、各ＩＳＤＮ回線インタフェース１２−１〜１２−ｊの動作クロックの断が所定回数続くか否かを監視するものが用いられる。
【００２３】
予備切替制御部１１３は、上記呼処理・アラーム検出部１１２により通知される検出情報に基づいて、例えば障害が検出されたＩＳＤＮ回線インタフェース１２−１に接続されているＩＳＤＮ回線ＳＬ１を予備用ＩＳＤＮ回線インタフェース１４に切替接続するように予備切替部１５を制御する。
【００２４】
ところで、上記ＩＳＤＮ回線インタフェース１２−１〜１２−ｊには、それぞれＤＳＵ(Digital Signal Unit)部１２１−１〜１２１〜ｊと、Ｂチャネル処理部１２２−１〜１２２−ｊと、Ｄチャネル処理部１２３−１〜１２３−ｊとが備えられている。また、予備用ＩＳＤＮ回線インタフェース１４にも、ＤＳＵ部１４１と、Ｂチャネル処理部１４２と、Ｄチャネル処理部１４３とが備えられている。ここでは、ＤＳＵ部１２１−１と、Ｂチャネル処理部１２２−１と、Ｄチャネル処理部１２３−１とを代表して説明する。
【００２５】
ＤＳＵ部１２１−１は、ＩＳＤＮ回線ＳＬ１を終端するものである。Ｂチャネル処理部１２２−１は、例えば２チャネル分の音声回路を有し、セットされた呼情報に基づいてＩＳＤＮ回線ＳＬ１を伝送する音声信号の処理を行う。Ｄチャネル処理部１２３−１は、呼制御部１１との間でＤチャネル情報の送受信を行なうものである。
【００２６】
次に、以上のような構成における動作について説明する。  
（通常着信動作）  
例えば、外部電話端末ＴＴ１において電話端末Ｔ１を着信先に指定した発信が行なわれ、これに応じてＩＳＤＮ網ＮＷから着信電話番号を含む着信信号がＩＳＤＮ回線ＳＬ１のＤチャネルを介してＩＳＤＮ回線インタフェース１２−１に到来したとする。この場合、呼制御部１１はＩＳＤＮ回線インタフェース１２−１より通知された着信先データから着信電話番号を抽出し、この着信電話番号に対応する電話端末Ｔ１に対し着信データを送信して着信報知を行なわせる。
【００２７】
そして、この着信報知に対し電話端末Ｔ１が応答すると、この電話端末Ｔ１とＩＳＤＮ網ＮＷ上の外部電話端末ＴＴ１との間に、ＩＳＤＮ回線インタフェース１２−１及びＩＳＤＮ回線ＳＬ１のＢチャネルを経由した通信リンクが形成される。かくして、外部電話端末ＴＴ１のユーザは電話端末Ｔ１のユーザとの間で通話を行なうことが可能となる。
【００２８】
（異常検出時のＩＳＤＮ回線の切替動作）  
ところで、上記呼制御部１１では、各ＩＳＤＮ回線インタフェース１２−１〜１２−ｊについて次のような異常判定・対応制御が行われている。図２はその制御手順及び制御内容を示すフローチャートである。
【００２９】
呼制御部１１は、各ＩＳＤＮ回線インタフェース１２−１〜１２−ｊの異常監視を行なう（ステップＳＴ２ａ）。この異常監視の手法としては、各ＩＳＤＮ回線インタフェース１２−１〜１２−ｊの動作クロックの断が所定回数継続するか否かを監視するものが用いられる。
【００３０】
ここで、ＩＳＤＮ回線インタフェース１２−３において基板故障による異常が発生し、この異常の発生が呼制御部１１で検出されたとする。そうすると、呼制御部１１はステップＳＴ２ｂからステップＳＴ２ｃに移行して、ここで予備用ＩＳＤＮ回線インタフェース１４に呼情報をセットし、ＩＳＤＮ回線インタフェース１２−３に接続されていたＩＳＤＮ回線ＳＬ３を予備用ＩＳＤＮ回線インタフェース１４に切替接続するように予備切替部１５を切替制御する。
【００３１】
なお、同一時間帯にＩＳＤＮ回線インタフェース１２−４に異常が発生した場合に、呼制御部１１はＩＳＤＮ回線インタフェース１２−４に接続されていたＩＳＤＮ回線ＳＬ４を空きのＩＳＤＮ回線インタフェース１２−７に接続するように予備切替部１５を切替制御する。
【００３２】
（共用Ｄチャネル異常検出時のＩＳＤＮ回線の切替動作）  
いま例えば、図３に示すように、ＩＳＤＮ回線インタフェース１２−５にＢチャネル及びＤチャネルを有したＩＳＤＮ回線ＳＬ５が接続され、ＩＳＤＮ回線インタフェース１２−６にＢチャネル専用のＩＳＤＮ回線ＳＬ６が接続されているものとする。なお、ＩＳＤＮ回線ＳＬ５のＤチャネルは、ＩＳＤＮ回線ＳＬ６のＢチャネルと共用のものとする。
【００３３】
このとき、ＩＳＤＮ回線インタフェース１２−５のＢチャネル処理部１２２−５及びＤチャネル処理部１２３−５が動作し、ＩＳＤＮ回線インタフェース１２−６のＤチャネル処理部１２３−６が動作していない状態にある。
【００３４】
さて、この状態でＩＳＤＮ回線インタフェース１２−５においてＤチャネル処理部１２３−５に異常が発生し、この異常の発生が呼制御部１１の呼処理・アラーム検出部１１２で検出されたとする。すると、Ｄチャネルを共有するＩＳＤＮ回線ＳＬ５，ＳＬ６は制御不能に陥ることになる。
【００３５】
そこで、呼制御部１１は、図４に示すように、ＩＳＤＮ回線ＳＬ５を予備用ＩＳＤＮ回線インタフェース１４に接続するように予備切替部１５を切替制御する。一方、予備用ＩＳＤＮ回線インタフェース１４が運用中で塞がっている場合に、ＩＳＤＮ回線インタフェース１２−６のＤチャネル処理部１２３−６を動作させ、Ｄチャネル処理部１２３−６に対しＩＳＤＮ回線ＳＬ６のＤチャネルを捕捉させる。かくして、スペックダウンせずに従来サービスを継続することが可能となる。
【００３６】
以上のように上記実施形態では、主装置１に予備用ＩＳＤＮ回線インタフェース１４を内蔵させ、かつ回線交換スイッチ部１１１とは別にＩＳＤＮ局線ＳＬ１〜ＳＬｎと、ＩＳＤＮ回線インタフェース１２−１〜１２−ｊ，予備用ＩＳＤＮ回線インタフェース１４との間を接続する予備切替部１５を設け、ＩＳＤＮ回線インタフェース１２−１の異常検出時に、予備切替部１５を切替制御して、ＩＳＤＮ回線インタフェース１２−１に接続されていたＩＳＤＮ回線ＳＬ１を予備用ＩＳＤＮ回線インタフェース１４に接続し、予備用ＩＳＤＮ回線インタフェース１４に対し呼情報をセットするようにしている。
【００３７】
従って、ＩＳＤＮ回線インタフェース１２−１に異常が発生した場合に、予備切替部１５によりＩＳＤＮ回線ＳＬ１の接続先が予備用ＩＳＤＮ回線インタフェース１４に切り替わり、この結果簡単な手順で異常が回避され通信を継続することができる。
【００３８】
また、上記実施形態では、ＩＳＤＮ回線インタフェース１２−１，１２−２の異常が同一時間帯に発生した場合でも、ＩＳＤＮ回線インタフェース１２−１に接続されていたＩＳＤＮ回線ＳＬ１を予備用ＩＳＤＮ回線インタフェース１４に接続し、一方ＩＳＤＮ回線インタフェース１２−２に接続されていたＩＳＤＮ回線ＳＬ２を空きのＩＳＤＮ回線インタフェース１２−７に接続するようにしているので、これらの異常に対し比較的柔軟に対応することができる。
【００３９】
さらに、上記実施形態では、ＩＳＤＮ回線ＳＬ６と共用のＤチャネルを有するＩＳＤＮ回線ＳＬ５を接続したＩＳＤＮ回線インタフェース１２−５に異常が検出された場合に、ＩＳＤＮ回線ＳＬ５を予備用ＩＳＤＮ回線インタフェース１４に接続し、一方、予備用ＩＳＤＮ回線インタフェース１４が運用中で塞がっている場合に、ＩＳＤＮ回線インタフェース１２−６に対しＩＳＤＮ回線ＳＬ６に含まれるＤチャネルを捕捉させるようにしているので、スペックダウンせずに従来サービスを継続することが可能となる。
【００４０】
なお、この発明は上記実施形態に限定されるものではない。例えば上記実施形態では、各ＩＳＤＮ回線インタフェース１２−１〜１２−ｊの動作クロックの断が所定回数継続するか否かを監視することにより異常を検出する手法について説明した。しかしこれに限ることなく、予備切替部１５を用いて各ＩＳＤＮ回線ＳＬ１〜ＳＬｎを予備用ＩＳＤＮ回線インタフェース１４に一旦接続して異常の原因がＩＳＤＮ回線ＳＬ１〜ＳＬｎによるものか、ＩＳＤＮ回線インタフェース１２−１〜１２−ｊにおける動作異常によるものかを切り分ける手法をとってもよい。このようにすれば、ＩＳＤＮ回線ＳＬ１〜ＳＬｎ自体の異常を検出することもできる。
【００４１】
さらに、上記実施形態では、クロック断を検出することにより、ＩＳＤＮ回線インタフェース１２−１〜１２−ｊの動作異常を検出する例について説明した。しかしこれに限ることなく、ＩＳＤＮ回線インタフェース１２−１〜１２−ｊにおける基板未実装障害、ＩＳＤＮ回線ＳＬ１〜ＳＬｎとのリンク確立障害のいずれか一方を検出するようにしてもよい。ＩＳＤＮ回線インタフェース１２−１〜１２−ｊにおける基板未実装障害を検出する手法としては、ＩＳＤＮ回線インタフェース１２−１〜１２−ｊに対し周期的に信号を与えて、返送されてくるか否かを判定することにより基板未実装障害を検出できる。また、ＩＳＤＮ回線ＳＬ１〜ＳＬｎとのリンク確立障害を検出する手法としては、ＩＳＤＮ網ＮＷとの通信リンク確立を行う際に、正しく確立できるか否かを判定することにより検出できる。
【００４２】
その他、交換システムの種類（ボタン電話システムに限らずＰＢＸでもよい）や主装置の構成、ＩＳＤＮ回線以外の局線の種類、異常判定・対応制御の手順及びその内容等についても、この発明の要旨を逸脱しない範囲で種々変形して実施できる。
【図面の簡単な説明】
【００４３】
【図１】この発明の一実施形態に係わるボタン電話システムの構成を示すブロック図。
【図２】同実施形態における呼制御部の異常判定・対応制御の手順及び内容を示すフローチャート。
【図３】同実施形態において、ＩＳＤＮ回線インタフェースに異常が発生した様子を説明するための図。
【図４】同実施形態において、ＩＳＤＮ回線インタフェースに異常が発生した場合のＩＳＤＮ回線切替動作を説明するための図。
【符号の説明】
【００４４】
１…主装置、１１…呼制御部、１２−１〜１２−ｊ…ＩＳＤＮ回線インタフェース、１３−１〜１３−ｉ…端末インタフェース、１４…予備用ＩＳＤＮ回線インタフェース、１５…予備切替部、１６…音声バス、１７…制御バス、１１１…回線交換スイッチ部、１１２…呼処理・アラーム検出部、１１３…予備切替制御部、１２１−１〜１２１−ｊ、１４１…ＤＳＵ部、１２２−１〜１２２−ｊ，１４２…Ｂチャネル処理部、１２３−１〜１２３−ｊ，１４３…Ｄチャネル処理部、Ｔ１〜Ｔｉ…電話端末、ＮＷ…ＩＳＤＮ網、ＳＬ１〜ＳＬｎ…ＩＳＤＮ回線。
【図１】
2007082028.tif 000003
【図２】
2007082028.tif 000004
【図３】
2007082028.tif 000005
【図４】
2007082028.tif 000006